(57)【要約】【課題】同じ電流を流して同じ出射光量の光を有機ＥＬ素子に発光させる。【解決手段】有機ＥＬ表示装置は表示パネル２０を有する。表示パネル２０の表面にＲ画素領域２３ｒ、Ｇ画素領域２３ｇ、およびＢ画素領域２３ｂを２次元状に配列する。Ｒ画素領域２３ｒ、Ｇ画素領域２３ｇ、Ｂ画素領域２３ｂそれぞれに発光領域２４を設ける。発光領域２４を有機ＥＬ層によって形成する。有機ＥＬ層は発光層を有する。Ｒ画素領域２３ｒ、Ｇ画素領域２３ｇ、Ｂ画素領域２３ｂの発光領域２４の面積を、発光層の発光効率、発光層の寿命、画素領域を覆うカラーフィルタのフィルタ効率に応じて定める。【選択図】図３
2007323966.tif 000002
【特許請求の範囲】
【請求項１】
第１、第２の色成分の光をそれぞれ発する第１、第２の有機ＥＬ素子を有する第１、第２の画素を、表示面に２次元状に備え、
前記第１、第２の画素における前記第１、第２の色成分の光を発光する発光部の面積である発光面積が前記第１、第２の有機ＥＬ素子の寿命である素子寿命に応じて定められる
ことを特徴とする有機ＥＬ表示装置。
【請求項２】
前記発光面積は、前記素子寿命に反比例するように、定められることを特徴とする請求項１に記載の有機ＥＬ表示装置。
【請求項３】
第１、第２の色成分の光をそれぞれ発する第１、第２の有機ＥＬ素子と、前記第１、第２の色成分の光の一部の帯域の光を透過させる第１、第２のカラーフィルタとを有する第１、第２の画素を、表示面に２次元状に備え、
前記第１、第２の画素における前記第１、第２の色成分の光を発光する発光部の面積である発光面積が、前記第１、第２のカラーフィルタを透過した前記第１、第２の色成分の光の放射輝度を前記第１、第２の有機ＥＬ素子の発する前記第１、第２の色成分の光の放射輝度によって除すことにより算出されるフィルタ効率に応じて定められる
ことを特徴とする有機ＥＬ表示装置。
【請求項４】
前記発光面積は、前記フィルタ効率に反比例するように、定められることを特徴とする請求項３に記載の有機ＥＬ表示装置。
【請求項５】
前記発光面積が、前記第１、第２の有機ＥＬ素子の寿命である素子寿命に応じて定められることを特徴とする請求項３または請求項４に記載の有機ＥＬ表示装置。
【請求項６】
前記発光面積は、前記素子寿命に反比例するように、定められることを特徴とする請求項５に記載の有機ＥＬ表示装置。
【請求項７】
前記発光面積が、前記第１、第２の有機ＥＬ素子の発光効率に応じて定められることを特徴とする請求項１〜請求項６のいずれか１項に記載の有機ＥＬ表示装置。
【請求項８】
前記発光面積が、前記発光効率に反比例するように、定められることを特徴とする請求項７に記載の有機ＥＬ表示装置。
【請求項９】
第１、第２の色成分の光をそれぞれ発する第１、第２の有機ＥＬ素子を有する第１、第２の画素を配置したカラー画素繰返し単位が繰返される表示面を備え、
前記カラー画素繰返し単位内に配置される前記第１、第２の画素の個数が前記第１、第２の有機ＥＬ素子の所定の特性に応じて定められる
ことを特徴とする有機ＥＬ表示装置。
【請求項１０】
前記所定の特性が、前記第１、第２の有機ＥＬ素子の発光効率であることを特徴とする請求項９に記載の有機ＥＬ表示装置。
【請求項１１】
前記発光効率がより大きな有機ＥＬ素子を有する画素の数を少なくすることを特徴とする請求項１０に記載の有機ＥＬ表示装置。
【請求項１２】
前記所定の特性が、前記第１、第２の有機ＥＬ素子の寿命である素子寿命であることを特徴とする請求項９に記載の有機ＥＬ表示装置。
【請求項１３】
前記素子寿命がより長い有機ＥＬ素子を有する画素の数を少なくすることを特徴とする請求項１２に記載の有機ＥＬ表示装置。
【請求項１４】
前記第１、第２の画素は、前記第１、第２の色成分の光の一部の帯域の光を透過させる第１、第２のカラーフィルタを有し、
前記所定の特性が、前記第１、第２のカラーフィルタが透過した前記第１、第２の色成分の光の放射輝度を前記第１、第２の有機ＥＬ素子の発する前記第１、第２の色成分の光の放射輝度によって除すことにより算出されるフィルタ効率である
ことを特徴とする請求項９に記載の有機ＥＬ表示装置。
【請求項１５】
前記フィルタ効率がより大きな有機ＥＬ素子を有する画素の数を少なくすることを特徴とする請求項１４に記載の有機ＥＬ表示装置。
【発明の詳細な説明】
【技術分野】
【０００１】
本発明は、有機ＥＬ素子を有する画素によって表示面が形成される有機ＥＬ表示装置に関する。
【背景技術】
【０００２】
有機ＥＬ素子を用いた有機ＥＬ表示装置が知られている。有機ＥＬ表示装置の表示面には、例えば赤色、緑色、青色の光を発光するそれぞれの画素が２次元上に配置される。それぞれの画素には、赤色光を発する有機ＥＬ素子、緑色光を発する有機ＥＬ素子、青色光を発する有機ＥＬ素子が設けられる。受信する映像信号に応じてそれぞれの画素における発光量を制御することにより、映像信号に応じた画像が表示面に表示される。
【０００３】
有機ＥＬ素子は発光する色によって異なる材料が使われるため、発光する色によって発光効率が異なっている。同一の輝度の光を発光させるために一部の有機ＥＬ素子には他の有機ＥＬ素子より大きな電流を流さなければならなかった。その結果、大きな電流を流す有機ＥＬ素子が他の有機ＥＬ素子に比べ、劣化が早急に進むことが問題であった。
【０００４】
この問題に対して、発光効率に応じて画素の開口部の面積を変えることが提案されている（特許文献１参照）。しかし、発光効率に応じて開口部の面積を変えるだけでは、同程度の大きさの電流を流して、同一の輝度の光を発光させることはできなかった。
【特許文献１】特開２００１−２９０４４１号公報
【発明の開示】
【発明が解決しようとする課題】
【０００５】
したがって、本発明では発光させる色の種類によらず同程度の大きさの電流を流して、同じ輝度の光を発光させる有機ＥＬ表示装置の提供を目的とする。
【課題を解決するための手段】
【０００６】
本発明の第１の有機ＥＬ表示装置は、第１、第２の色成分の光をそれぞれ発する第１、第２の有機ＥＬ素子を有する第１、第２の画素を、表示面に２次元状に備え、第１、第２の画素における第１、第２の色成分の光を発光する発光部の面積である発光面積が第１、第２の有機ＥＬ素子の寿命である素子寿命に応じて定められることを特徴としている。
【０００７】
なお、発光面積は、素子寿命に反比例するように定められることが好ましい。
【０００８】
本発明の第２の有機ＥＬ表示装置は、第１、第２の色成分の光をそれぞれ発する第１、第２の有機ＥＬ素子と第１、第２の色成分の光の一部の帯域の光を透過させる第１、第２のカラーフィルタとを有する第１、第２の画素を表示面に２次元状に備え、第１、第２の画素における第１、第２の色成分の光を発光する発光部の面積である発光面積が第１、第２のカラーフィルタを透過した第１、第２の色成分の光の放射輝度を第１、第２の有機ＥＬ素子の発する第１、第２の色成分の光の放射輝度によって除すことにより算出されるフィルタ効率に応じて定められることを特徴とする。
【０００９】
なお、発光面積は、フィルタ効率に反比例するように定められることが好ましい。さらに、発光面積が、第１、第２の有機ＥＬ素子の発光効率に応じて定められることが好ましい。さらに、発光面積が、発光効率に反比例するように定められることが好ましい。
【００１０】
本発明の第３の有機ＥＬ表示装置は、第１、第２の色成分の光をそれぞれ発する第１、第２の有機ＥＬ素子を有する第１、第２の画素を配置したカラー画素繰返し単位が繰返される表示面を備え、カラー画素繰返し単位内に配置される第１、第２の画素の個数が第１、第２の有機ＥＬ素子の所定の特性に応じて定められることを特徴としている。
【００１１】
なお、所定の特性が、第１、第２の有機ＥＬ素子の発光効率または第１、第２の有機ＥＬ素子の寿命である素子寿命であることが好ましい。または、第１、第２の画素は第１、第２の色成分の光の一部の帯域の光を透過させる第１、第２のカラーフィルタを有し、所定の特性が第１、第２のカラーフィルタが透過した第１、第２の色成分の光の放射輝度を第１、第２の有機ＥＬ素子の発する第１、第２の色成分の光の放射輝度によって除すことにより算出されるフィルタ効率であることが好ましい。
【００１２】
また、発光効率がより大きな有機ＥＬ素子を有する画素の数を少なくすることが好ましい。または、素子寿命がより長い有機ＥＬ素子を有する画素の数を少なくすることが好ましい。または、フィルタ効率がより大きな有機ＥＬ素子を有する画素の数を少なくすることが好ましい。
【発明の効果】
【００１３】
本発明によれば、それぞれの有機ＥＬ素子には同程度の電流を流しながらも、表示パネル全体における各色成分の光を同程度の出射光量にさせることが可能になる。
【発明を実施するための最良の形態】
【００１４】
以下、本発明の実施形態について図面を参照して説明する。
図１は、本発明の第１の実施形態を適用した有機ＥＬ表示装置の構成を模式的に示すブロック図である。
【００１５】
有機ＥＬ表示装置１０は、表示パネル２０、表示パネル駆動回路１１、陽極線ドライブ回路１２、陰極線走査回路１３によって構成される。なお、図１において、上下方向を縦方向、左右方向を横方向とする。
【００１６】
表示パネル２０には、縦方向に延びる陽極線２１と横方向に延びる陰極線２２が設けられる。複数の陽極線２１が横方向に並ぶように配列される。また、複数の陰極線２２が縦方向に並ぶように配列される。陽極線２１と陰極線２２との交差部において、画素領域２３が形成される。表示パネル２０における表示面には、複数の画素領域２３がマトリックス状に配置される。
【００１７】
発光量を制御可能な発光素子である有機ＥＬ素子（図示せず）が、各画素領域２３に設けられる。有機ＥＬ素子は、後述するように、有機ＥＬ層（図１において図示せず）の一端を陽極線２１に、他端を陰極線２２に接続することにより形成される。各画素領域２３における有機ＥＬ層の発光量を制御することにより、表示面に所望の画像が表示される。
【００１８】
陽極線２１は陽極線ドライブ回路１２に接続される。陰極線２２は陰極線走査回路１３に接続される。陽極線ドライブ回路１２には、複数の陽極線スイッチ１２ｓｗが設けられる。各陽極線スイッチ１２ｓｗは、各陽極線２１に接続される。また、陰極線走査回路１３には、複数の陰極線スイッチ１３ｓｗが設けられる。各陰極線スイッチ１３ｓｗは、各陰極線２２に接続される。各陽極線スイッチ１２ｓｗおよび各陰極線スイッチ１３ｓｗのＯＮ／ＯＦＦの切り替えと、各陽極線２１に流す電流を制御することにより、各有機ＥＬ層の発光量が制御される。
【００１９】
後述するように、各陽極線スイッチ１２ｓｗのＯＮ／ＯＦＦの切り替えおよび各陽極線２１に流す電流値が陽極線ドライブ回路１２によって制御される。また各陰極線スイッチ１３ｓｗのＯＮ／ＯＦＦの切り替えは陰極線走査回路１３によって制御される。なお、陽極線ドライブ回路１２および陰極線走査回路１３は、表示パネル駆動回路１１によって駆動される。
【００２０】
画像を表示するときの、有機ＥＬ表示装置１０において行なわれる動作について説明する。有機ＥＬ表示装置１０には、外部機器などから送られる映像データが受信される。映像データは表示パネル駆動回路１１に送られる。表示パネル駆動回路１１において、映像データは駆動制御データに変換される。駆動制御データが陽極線ドライブ回路１２および陰極線走査回路１３に送られる。
【００２１】
陰極線走査回路１３によって、入力される駆動制御データに応じて各陰極線スイッチ１３ｓｗのＯＮ／ＯＦＦが順番に切替えられる。ＯＮ／ＯＦＦの切替えにより、各陰極線２２が縦方向に走査される。ＯＮ状態にある陰極線２２は通電可能となる。１フレーム分の画面表示のために、上から下または下から上に陰極線２２が走査される。
【００２２】
また、陽極線ドライブ回路１２によって、入力される駆動制御データに応じて各陽極線スイッチ１２ｓｗのＯＮ／ＯＦＦが切替えられる。ＯＮ状態にある陽極線２１には、電流が流される。通電可能に切替えられた陰極線２１と、電流が流される陽極線２１との交差する位置に配置された有機ＥＬ層に、電流が流される。
【００２３】
各陽極線２１に流される電流値は、走査される陰極線２２毎に調整される。各陽極線２１に流される電流値の調整は、駆動制御データに応じて制御される。１フレームの走査の間にすべての有機ＥＬ層に映像データに応じた電流が流されることにより、映像データに相当する画像が表示パネル２０に表示される。
【００２４】
次に、有機ＥＬ素子の厚さ方向の構成について図２を用いて説明する。図２は、有機ＥＬ素子の厚さ方向の模式的な断面図を示す。有機ＥＬ素子３０は、基板３１上に、陽極線２１、有機ＥＬ層３２、陰極線２２、およびカラーフィルタ３３を積層することによって構成される。
【００２５】
基板３１は、透光性を有する部材、例えばガラス、樹脂などによって形成される。陽極線２１および陰極線２２は透明電極であって、例えばＩＴＯ（Ｉｎｄｉｕｍ  Ｔｉｎ  Ｏｘｉｄｅ）、ＡＴＯ(Ａｎｔｉｍｏｎｙ  Ｄｏｐｅｄ  Ｔｉｎｄｉｏｘｉｄｅ)などによって形成される。カラーフィルタ３３は、有機ＥＬ素子３０の発する光と同種類の色成分の中から特定の帯域の光を表示パネル２０の外面に向けて透過させる。
【００２６】
有機ＥＬ層３２は、陽極線２１側から陰極線２２側への順番に正孔（ホール）注入層３４、正孔輸送層３５、発光層３６、電子輸送層３７、および電子注入層３８が密接して積層される。
【００２７】
正孔注入層３４により陽極線２１から注入された正孔が取込まれる。正孔輸送層３５により、陽極線２１から注入された正孔が発光層３６に有効に注入される。電子注入層３８により陰極線２２から注入された電子が取り込まれる。電子輸送層３７により、陰極線２２から注入された電子が発光層３６に有効に注入される。
【００２８】
画素領域２３毎に発光させる光の色成分は定められており、発光させる光の色成分ごとに異なる材料によって発光層３６は形成される。発光層３６は、赤色光を発光する赤色発光層、緑色光を発光する緑色発光層、または青色光を発光する青色発光層のいずれかである。
【００２９】
発光層３６に注入された正孔および電子が発光層３６において再結合される。再結合されることにより、発光層３６を形成する材料に応じた光、すなわち、赤色光、緑色光、青色光のいずれかの光が発せられる。
【００３０】
カラーフィルタ３３は、所定の帯域の赤色光を透過するＲカラーフィルタ、所定の帯域の緑色光を透過するＧカラーフィルタ、所定の帯域の青色光を透過するＢカラーフィルタのいずれかが用いられる。カラーフィルタ３３の種類は画素領域２３毎に異なっており、発光層３６の発光する光の色成分と同一の色成分の光を透過するカラーフィルタ３３が用いられる。
【００３１】
次に、表示パネルの表示面の構成について図３を用いて説明する。図３は、表示パネルの平面図である。表示パネル２０の表示面には、赤色光を発するＲ画素領域２３ｒ、緑色光を発するＧ画素領域２３ｇ、青色光を発するＢ画素領域２３ｂがストライプ方式に従って、配列される。
【００３２】
各画素領域２３内には、有機ＥＬ素子が形成される領域である発光領域２４が設けられる。発光領域２４からそれぞれの光が放射される。発光領域２４の面積はＲ画素領域２３ｒ、Ｇ画素領域２３ｇ、Ｂ画素領域２３ｂによって異なるように調整される。なお、発光領域２４の面積は、Ｒ画素領域２３ｒ、Ｇ画素領域２３ｇ、Ｂ画素領域２３ｂにおける発光層３６の面積を変えることにより、調整される。
【００３３】
発光領域２４の面積は、それぞれの画素領域２３における発光層３６の発光効率、発光層３６の発光寿命、発光層３６の発光する光に対するカラーフィルタ３３のフィルタ効率に応じて定められる。発光効率が大きくなるほど、発光領域２４の面積は小さくなるように形成される。また、発光寿命が長くなるほど、発光領域２４の面積は小さくなるように形成される。また、発光層３６の発光する光に対するカラーフィルタ３３のフィルタ効率が大きくなるほど、発光領域２４の面積は小さくなるように形成される。
【００３４】
発光効率とは、有機ＥＬ層３２に供給する電流に対する有機ＥＬ層３２の発光量である。また、発光寿命は、発光層３６の劣化状況を示す指数であればいかなる指数でもよい。本実施形態では、所定の時間経過後の発光層３６の発光量を初期状態における発光層３６の発光量によって除すことにより求められる指数が用いられる。フィルタ効率とは、有機ＥＬ素子３０と一体化したカラーフィルタ３３においてカラーフィルタ３３からの出射光量を発光層３６から照射されカラーフィルタ３３に入射する光の入射光量で除すことにより求められる指数である。
【００３５】
発光層３６の発光効率、発光層３６の発光寿命、および発光層３６の発光する光に対するカラーフィルタ３３のフィルタ効率は、同一の種類の画素領域２３では一定であり、種類の異なる画素領域２３によって異なっている。従って、それぞれの画素領域２３における発光領域２４の面積は同一であり、Ｒ画素領域２３ｒ、Ｇ画素領域２３ｇ、Ｂ画素領域２３ｂにおける発光領域２４の面積は異なっている。
【００３６】
Ｒ画素領域２３ｒ、Ｇ画素領域２３ｇ、Ｂ画素領域２３ｂの発光領域２４の面積は、各画素領域２３における発光効率、発光寿命、フィルタ効率の積の逆数に比例するように定められる。
【００３７】
例えば本実施形態では、Ｒ画素領域２３ｒ、Ｇ画素領域２３ｇ、Ｂ画素領域２３ｂにおける発光効率がそれぞれ１５、３０、５（ｃｄ／Ａ）、発光寿命がそれぞれ０．３、０．６、０．９、フィルタ効率がそれぞれ０．８、０．３、０．６である。Ｒ画素領域２３ｒ、Ｇ画素領域２３ｇ、Ｂ画素領域２３ｂの発光効率、発光寿命、およびフィルタ効率の積は１５×０．３×０．８、３０×０．６×０．３、５×０．９×０．６である。
【００３８】
従って、Ｒ画素領域２３ｒ、Ｇ画素領域２３ｇ、Ｂ画素領域２３ｂにおける発光領域２４の面積は、１／（１５×０．３×０．８）：１／（３０×０．６×０．３）：１／（５×０．９×０．６）＝１．５：１：２となるように形成される。
【００３９】
以上のような本実施形態の有機ＥＬ表示装置１０によれば、同程度の電流を流しながらもそれぞれの画素領域２３に同じ出射光量の光を放射させることがより高い精度で可能になる。発光効率のみでなく、画素領域２３全体の出射光量に影響を及ぼす因子を考慮して発光面積を定めるためである。
【００４０】
次に、本発明の第２の実施形態について説明する。本実施形態では、表示パネル２００の表示面の構成が第１の実施形態と異なる。以下、第１の実施形態と異なる点を中心に説明する。なお、第１の実施形態と同じ機能を有する部位には、同じ符号を付ける。
【００４１】
第２の実施形態を適用した有機ＥＬ表示装置における表示パネル２００の表示面の構成について図４を用いて説明する。図４は、第２の実施形態の表示パネルの平面図である。表示パネル２００の表示面には、赤色光を発するＲ画素領域２３０ｒ、緑色光を発するＧ画素領域２３０ｇ、青色光を発するＢ画素領域２３０ｂが配置される。なお、第１の実施形態と異なり、Ｒ画素領域２３０ｒ、Ｇ画素領域２３０ｇ、Ｂ画素領域２３０ｂそれぞれにおける発光領域（図４において図示せず）の面積は同じである。
【００４２】
なお、それぞれの画素領域２３０における発光層３６の発光効率、発光層３６の発光寿命、発光層３６の発光する光に対するカラーフィルタ３３のフィルタ効率は第１の実施形態と同じである。
【００４３】
３個のＲ画素領域２３０ｒ、２個のＧ画素領域２３０ｇ、４個のＢ画素領域２３０ｂにより単一のカラー画素繰返し単位２５が形成される。表示面には、カラー画素繰返し単位２５がマトリックス状に繰返されるように、Ｒ画素領域２３０ｒ、Ｇ画素領域２３０ｇ、Ｂ画素領域２３０ｂが配置される。
【００４４】
単一のカラー画素繰返し単位２５において、Ｒ画素領域２３０ｒすべての発光領域、Ｇ画素領域２３０ｇすべての発光領域、Ｂ画素領域２３０ｂすべての発光領域それぞれの面積比は３：２：４（＝１．５：１：２）となる。
【００４５】
なお、第１の実施形態と同じく、陽極線２１と陰極線２２との交差部において、Ｒ画素領域２３０ｒ、Ｇ画素領域２３０ｇ、Ｂ画素領域２３０ｂのいずれかの領域が形成される。したがって、画素領域毎における有機ＥＬ層の発光量の制御が可能である。
【００４６】
以上のような構成の本実施形態の有機ＥＬ表示装置によっても、同程度の電流を流しながらも、カラー画素繰返し単位２５内のＲ画素領域２３０ｒ全体の出射光量と、Ｇ画素領域２３０ｇ全体の出射光量と、Ｂ画素領域２３０ｂ全体の出射光量とを、同じくすることが可能になる。
【００４７】
なお、第１の実施形態と異なり、すべての画素領域２３０における発光領域の面積が同じであるため、画素領域毎に発光領域の面積を変える構成に比べて、製造が容易になる。
【００４８】
なお、第１、第２の実施形態において、画素領域２３、２３０に発光させる光の色成分は、赤、緑、青の３色であるが、複数の色成分であれば何色であってもよい、さらには他の色成分の光を発光させてもよい。
【００４９】
また、第１の実施形態における発光領域の面積の比、または第２の実施形態における単一のカラー画素繰返し単位に含まれる画素領域の数の比は、発光効率、素子寿命、およびフィルタ効率それぞれに反比例するように定められるが、反比例させなくてもよい。第１の実施形態における発光領域の面積、または第２の実施形態における単一のカラー画素繰返し単位に含まれる画素領域の数は、発光効率が大きくなるほど、素子寿命が長いほど、またはフィルタ効率が大きくなるほど、減少させる構成であればよい。
【００５０】
なお、反比例させない場合は、有機ＥＬ素子３０に流す電流値を色成分ごとに調整すればよい。従来のようにすべての発光領域の面積が同じ場合に比べれば、同じ程度の電流値で同じ輝度の光を発光させることが可能である。
【００５１】
また、第１の実施形態において、各画素領域２３における発光領域２４の面積は発光効率、素子寿命、およびフィルタ効率に基づいて定められるが、少なくともいずれか一つに基づいて定められればよい。
【００５２】
また、第２の実施形態において、単一のカラー画素繰返し単位２５を形成するＲ画素領域２３０ｒ、Ｇ画素領域２３０ｇ、Ｂ画素領域２３０ｂの数は発光効率、素子寿命、およびフィルタ効率に基づいて定められるが、少なくともいずれか一つに基づいて定められればよい。
【００５３】
また、第２の実施形態において、Ｒ画素領域２３０ｒ、Ｇ画素領域２３０ｇ、Ｂ画素領域２３０ｂ毎における有機ＥＬ層の発光量を制御する構成であるが、陽極線２１と陰極線２２との交差部において、カラー画素繰返し単位２５を形成して、カラー画素繰返し単位２５に含まれる有機ＥＬ層すべての発光量を制御する構成であってもよい。
【００５４】
このような構成によれば、第２の実施形態より簡潔な構成となるため製造が容易となる。また、このような構成により発光される光は白色光であるが、カラー表示の不要な画像の表示は十分に可能である。また、このような構成であってもカラー画素繰返し単位２５がそれぞれ異なるカラーフィルタによって覆われれば、カラー画像を表示することは可能である。
【図面の簡単な説明】
【００５５】
【図１】本発明の第１の実施形態を適用した有機ＥＬ表示装置の構成を模式的に示すブロック図である。
【図２】有機ＥＬ素子の厚さ方向の模式的な断面図を示す。
【図３】第１の実施形態の表示パネルの平面図である。
【図４】第２の実施形態の表示パネルの平面図である。
【符号の説明】
【００５６】
１０  有機ＥＬ表示装置
２０、２００  表示パネル
２３  画素領域
２３ｒ、２３０ｒ  Ｒ画素領域
２３ｇ、２３０ｇ  Ｇ画素領域
２３ｂ、２３０ｂ  Ｂ画素領域
２４  発光領域
３０  有機ＥＬ素子
【図１】
2007323966.tif 000003
【図２】
2007323966.tif 000004
【図３】
2007323966.tif 000005
【図４】
2007323966.tif 000006